(57)【特許請求の範囲】
【請求項１】
前方フィルムブランク（２）および使用の際には使用者に面することとなるように意図されバッグの背後の壁を形成するフィルムブランク（３）によって形成されたバッグ部材（１）であって、前記フィルムブランク（２，３）がバッグ部材（１）の外側輪郭を定める結合された複数の結合縁（４）を有している、バッグ部材（１）と、
前記フィルムブランクのうちの一つ（３）に設けられ、前記バッグ部材の前記外側輪郭内に位置する入り口開口と、
前記入り口開口を囲み、体の開口部にバッグを接続するための接続要素（５）と、
前記入り口開口から間隔を隔てて前記バッグ部材とは別に設けられた排出部であって、そこを通じてバッグの中身を空にすることができる排出開口を有し、前記結合縁において前記バック部材に接合された排出部（６）と、
前記排出部（６）に設けられ、バッグが開かれた排出位置から、バッグが閉じられた使用位置へバッグの状態を変化させるための閉鎖装置（７）と、
バッグの使用位置において前記閉鎖装置（７）を収容するための収容手段と、を備え、
前記収容手段（８）は、前記バッグ部材（１）に設けられ、前記バッグ部材（１）の前記外側輪郭内に形成された少なくとも一つの開口容器部を有するとともに、基底部（９）を含み、
前記前方フィルムブランク（２）および使用の際には使用者に面することとなるように意図されバッグの背後の壁を形成する前記フィルムブランク（３）は、前記基底部（９）の周縁（９ａ）に沿って延びる接合部によって、取り外せないように接合され、
前記開口容器部は、前記基底部（９）と、前記前方フィルムブランク（２）のうちの前記基底部（９）を取り囲む部分（２ａ）と、によって形成され、
基底部（９）の周縁（９ａ）は、バッグを空にする際に前記排出部（６）および前記排出開口からバッグの中身を流出させることができるように、バッグ部材（１）の結合縁（４）および排出部（６）から間隔を隔てて位置しており、
前記使用位置において、前記閉鎖装置（７）は、その全体を前記収容手段（８）に収容され、バッグの平面におけるバッグの外側輪郭の外側に突出しないように、また、前方フィルムブランク（２）の前記収容手段（８）を形成する部分以外の残存部（２ｂ）によって定められる弓形面の外側にも突出しないようになっている
ことを特徴とする人体排泄物用収集バッグ。
【請求項２】
前記フィルムブランク（２，３）は、基底部（９）の周縁（９ａ）に沿って延びる熱密封された接合部によって、相互に接続している
ことを特徴とする請求項１記載の収集バッグ。
【請求項３】
前記フィルムブランク（２，３）は、接着剤によって相互に接続している
ことを特徴とする請求項１記載の収集バッグ。
【発明の詳細な説明】
【０００１】
本発明は、人間の体の排泄物の収集バッグに関する。この収集バッグは、バッグ部材を有しており、このバッグ部材は、バッグ部材の外側輪郭を定める結合縁を有する２つのフィルムブランク(two film blanks)によって形成されている。入り口開口が前記フィルムブランクのうちの一つの中に設けられている。前記入り口開口の周囲には、体の開口部にバッグを連結するための連結要素が設けられている。入り口開口から間隔を隔てて設けられた排出部は、排出開口を有する。バッグが開かれている排出位置からバッグが閉じられている使用位置へ、そのバッグをもってくるための閉鎖装置が、排出部には設けられている。バッグの使用位置において前記閉鎖装置を収容するための収容手段が設けられている。
【０００２】
そのような収集バッグにおいて、排出部は、通常一時的に、バッグの使用位置でバッグ部材に取り付けられるようになっている。これにより、この位置における小型の体裁を達成することができ、また、使用者にとって不快であろうぶら下がり物（dangling)から排出部および閉鎖装置を守ることができるようになっている。略平坦な排出部である引延部を有するバッグ内において、一部分はバッグを閉じるために、そして一部分は前記の小型の体裁およびバッグ部材への取付のために、この排出部はバッグ部材の方向に折り畳まれ若しくは丸められる。
【０００３】
WO96/19164ではこの種の収集バッグが公表されており、この収集バッグの排出部は、フィルムブランクのうちの一つに留められたクリップまで巻き上げられる。
【０００４】
GBの特許出願番号2 268 065および2 000 683では収集バッグが公表されている。この収集バッグにおけるヴェルクロ(velcro)のような連結要素タイプのストリップは、排出部における複数のフィルムブランクの各々の上に配置され、排出部を堅く巻き上げ若しくは折り畳んだ後に相互に接触させられる。
【０００５】
EP特許出願番号13 109では、折り畳まれた排出部がバッグの一つの壁に取り付けられたストリップと壁それ自体との間に設けられた隙間に押し込まれる。
上述の文献のすべてにおいて、排出部は略平坦であることが不可欠である。かなりの範囲を占める閉鎖装置を有する収集バッグでは、例えばバルブや締め金(clamp)のような、これらの解決策を適用することができない。
【０００６】
US特許番号2,520,831では、折り畳まれた排出部を有する収集バッグが公表されている。この収集バッグは、締め金によって閉じられて、バッグの使用位置における排出部の近端に設けられたポーチに収容される。収集バッグを収容したポーチは、ジッパーのようなスライドファスナーによって閉じられる。閉鎖装置の要素構造のために、バッグの開口および閉口はかなりの巧妙さが必要とされる。例えば、スライドファスナーを作動させる時やバッグが空のためにポーチから引き抜く必要がある時に、放出部は、ポーチ内において手動で保持されなければならない。更に、スライドファスナーの使用は、収集バッグの製造を高価なものにするとともに、やっかいなものにする。
【０００７】
US特許番号4,519,797には人工肛門形成ポーチ用カバーが公表されている。この人工肛門形成ポーチは、ポーチの底部において流出器を有している。カバーは開口を有しており、この開口は、患者に装着されたプレートに、通常の方法でポーチを取り付けることを可能にしている。カバーは、必須ポケットを有しており、このポケットは、人体の敏感な部分の炎症を防止するのに適してる流出器を受け入れるようになっている。
【０００８】
しかしながらこの解決策は、人体の敏感な部分に流出器が直接触れることを防ぐ一方で、ポーチのかさばりの原因となっているので、自由な行動の要求に対する制限となっている。
【０００９】
US特許番号4,449,971は、最初に述べられた種類の収集バッグを公表している。この収集バッグには、ポケットの形態であって入り口スリットを有する収容手段が、バッグ部材の外延に形成されている。類似の配置が、例えばUS特許番号3,865,165及び4,306,029で示されている。
【００１０】
本発明の目的は、上述した種類の収集バッグを改良したものであり、特に操作性や製造条件を容易にするものである。更に、閉鎖装置のタイプにかかわらず使用することができるとともに、快適さ及び自由さの両者を改良するものである。
【００１１】
これを達成するために、発明に対応する収集バッグは、前記収容手段に特徴を有している。前記収容手段は、前記外側輪郭の範囲内の前記バッグ部材に形成された少なくとも一つの開口容器を有するとともに基礎部を有し、この基礎部で前記の複数のフィルムブランクが相互に取り外せないように結合している。しかも、基礎部の周囲は、バッグ部材および排出部が結合したエッジから間隔を隔てて位置している。
【００１２】
基礎部を具備する開口容器の形態を有する収容手段を設けることによって、閉鎖装置を収容手段内に配置することが非常に簡単になる。基礎部の位置は、バッグ部材の外側輪郭が収容手段によって影響されないことを必要とする。そして同時に、自由通路がバッグ部材から排出部に設けられている。複数のフィルムブランク間の取り外せない連結は、収容手段内のその全体に閉鎖装置を委ねることを可能にしている。これにより、中身によってバッグが拡大された場合に、フィルムブランクによって形成された弓形平面の外側に突き出さないようになっている。更に、収容手段を容易に且つ安く形成することができ、製造及び材料のコストを減らすことができる。
【００１３】
以下において発明は、概要図への言及により更に詳細に説明されるであろう。この概要図にはバッグが示されており、このバッグは少なくともある程度は満たされている場合を想定している。
【００１４】
図１は、本発明に対応する収集バッグの排出位置における側面図を示している。図２は、図１に示された収集バッグの平面図を示している。図３は、使用位置における収集バッグの平面図を示している。図４は、図３のラインIV-IVにおける断面図を示している。図５は、図３で示された位置における収集バッグの側面図を示している。図６は、図３のラインVI-VIにおける長手部分を示す図である。
【００１５】
図に示された収集バッグは、二つのフィルムブランク２，３によって形成されたバッグ部材１を備えている。このフィルムブランクは、縫い目４によって縁に沿って接着されている。この縫い目４は、溶接若しくは他のあらゆる都合のよい方法によって作られており、バッグ部材の外側輪郭を定めている。フィルムブランクは、適切な弾力性を有する任意のプラスチックシートや金属薄片材料によって作られてもよい。
【００１６】
フィルムブランク３は、使用の際には使用者に面することとなるように意図され、また、バッグの背後の壁を形成する。このフィルムブランク３において、図示しない入り口開口が、それ自体既知である方法により設けられている。また、使用者の腹部壁においていわゆる小孔（stoma）の形態で、身体の開口部にバッグを接続するための接続要素５によって囲まれている。
【００１７】
入り口開口および接着要素５から間隔を隔てた位置に、排出開口を有する排出部６がバッグに設けられている。詳細には図示されていないが、この排出開口を通じてバッグの中身を空にすることができるよう、
図１および図２に示されている開口若しくは排出位置から、バッグが閉じられている使用位置へ、バッグを運ぶために、収集バッグは閉鎖装置７を備えている。この閉鎖装置は本実施の形態ではバルブとして設けられるが、他のいかなる手段を設けてもよい。
【００１８】
収集バッグの使用位置における閉鎖装置７を収容するための収容手段８は、バッグ部材１に設けられている。収容手段は基底部（基礎部とも呼ぶ）９を有する開口容器を具備しており、この基礎部９は、前方フィルムブランク２の部分２ａによって囲まれている。図４および図６において最も明確にされているように、基礎部９において、二つのフィルムブランク２，３は取り外せない方法で相互に接着しており、例えば、溶接され若しくは熱シールされ基礎部９の外周９ａに沿って延びる接合手段によって、若しくは、この領域でフィルムブランクを接着剤で接着することによってフィルムブランク２、３は接着している。図３から図６において示されているように、閉鎖装置７は、その全体で収容手段８に収容される。そして閉鎖装置７は、バッグの平面におけるバッグの外側輪郭の外側に突出しないように、また、前方フィルムブランクの複数の残存部２ｂによって定められた弓形平面の外側にも突出しないようになっている。このため、使用位置において、非常に小型なバッグの体裁を実現することができる。
【００１９】
好ましくはないが、もちろん、バッグ部材の背後に形成された対応する容器に閉鎖装置を配置することも考えられる
基礎部９と、基礎部９を囲む前方フィルムブランク２の部分２ａと、によって形成された開口容器における閉鎖装置の安全性を改良するために、収容手段は、更に保持手段を有してもよい。この保持手段は、本実施の形態では、ストリップ１０の形状で設けられ、一端は、取り外せないようにバッグ部材に接着され、他端は、バッグ部材の対応する部分に解除可能に係合するための係合部分を有している。係合部分は、例えばヴェルクロタイプ(velcro type)の連結要素を有している。また、ストリップ１０は、中間部分で取り外せないように安全性が保たれているとともに、対応する係合部分を有する折り畳み可能な両端を有してもよい。前記折り畳み可能な両端は、係合のために閉鎖装置７の周囲でこの両端が到達することが可能となるような長さを有している。または、ストリップ１０が分離して設けられ、各端部が係合部分を有していてもよい。
【００２０】
他のタイプの保持手段も考え得るであろう。例えば、基礎部の対応する部分に解除可能に係合するための係合部分を、閉鎖装置自体に設けることも可能である。
【００２１】
基礎部９の外周９ａは、例えば縫い目４のようなバッグ部材の接合縁および排出部６から間隔を隔てて配置され、バッグを空にする間に排出部６および排出開口からバッグの中身を流出させることができるようになっている。バッグ部材と排出部との間に自由通路が設けられている限り、収容手段を縁のうちの一つの近傍に配置することも当然に可能である。
【００２２】
収容手段の基礎部９は、閉鎖装置７の寸法に応じた横断寸法を有している。このように設けることによって、収容手段８内における閉鎖装置の安全な保持が可能となる。そして、同時に、バッグの残存部分における身体の排泄物のために利用できる容積を可能な限り縮小することができる。
【００２３】
本発明は上述した具体的な実施の形態に限定されるべきものではない。特許請求の範囲に記載された範囲から外れないような種々の変更を行ってもよい。
【００２４】
例えば、上述の実施の形態において、閉鎖装置は、バルブという一つの種類についてのみ言及しているが、例えば、締め金や粘着性連結要素を有するような閉鎖装置の他の形態にも当然に適用することが可能である。
【図面の簡単な説明】
【図１】  本発明に対応する収集バッグの排出位置における側面図を示している。
【図２】  図１に示された収集バッグの平面図を示している。
【図３】  使用位置における収集バッグの平面図を示している。
【図４】  図３のラインIV-IVにおける断面図を示している。
【図５】  図３で示された位置における収集バッグの側面図を示している。
【図６】  図３のラインVI-VIにおける長手部分を示す図である。
【図１】
0004255232.tif 000002
【図２】
0004255232.tif 000003
【図３】
0004255232.tif 000004
【図４】
0004255232.tif 000005
【図５】
0004255232.tif 000006
【図６】
0004255232.tif 000007